(57)【要約】      （修正有）【課題】快適に装着することができ、外部から騒音が進入するのを低減し、複数の孔隙が形成されることによって防水を実現することができ、耳道内外の圧力、温度及び湿度の均衡を実現することができ、音質の歪みが発生しないカナル型開放型ノイズキャンセル防水イヤホンの構造を提供する。【解決手段】カナル型開放型ノイズキャンセル防水イヤホンの構造１００は、本体、ホーン単体２０及び防水アセンブリ３０を含む。本体のバックチャンバ１１及びフロントチャンバ１３には、防水アセンブリ３０及びシールドアセンブリ４０が装着される。また、ホーン単体２０は、本体内部に装着される。防水アセンブリ３０の第１防水部材３１と第２防水部材３２とは、本体のバックチャンバ１１とフロントチャンバ１３とに装着される。【選択図】図２
0003202035.tif 000002
【実用新案登録請求の範囲】
【請求項１】
本体、ホーン単体及び防水アセンブリを備えるカナル型開放型ノイズキャンセル防水イヤホンの構造であって、
前記本体は、バックチャンバ、チャンバアセンブリ及びフロントチャンバを有し、
前記バックチャンバは、中空ブロック体であり、一方の端面に開口が形成され、反対側の他方の端部には、貫通孔が貫通形成され、前記バックチャンバの内部壁面の前記貫通孔に対向する部分には、収容台が突出形成され、前記収容台は、前記貫通孔に連通し、前記収容台の孔径は、前記貫通孔の孔径より小さく、前記バックチャンバの周縁の壁面部分には、前記バックチャンバの内部に連通する防水ケーブルカバーが装着され、前記防水ケーブルカバーは、前記バックチャンバに緊密に組み合わされ、
前記フロントチャンバは、中空ブロック体であり、前記バックチャンバの開口部分に装着され、
前記チャンバアセンブリは、環状形を呈し、前記フロントチャンバの一方の端部に嵌設され、前記バックチャンバと前記フロントチャンバとの間に設置され、
前記ホーン単体は、前記本体内部に装着され、前記ホーン単体の発音部は、前記フロントチャンバに装着され、前記フロントチャンバの中空部分に対向し、
前記防水アセンブリは、前記本体のバックチャンバに装着され、第１防水部材を有し、前記第１防水部材は、複数の孔隙を有するブロック体であり、前記孔隙は、間隔を開けて配列設置される上、前記第１防水部材に貫通形成され、前記孔隙によって前記第１防水部材の両端面には、開孔が形成され、前記第１防水部材は、前記バックチャンバの収容台に装着される上、前記収容台の内縁壁面に当接され、前記第１防水部材の一方の端面は、前記バックチャンバ内部に設置され、前記第１防水部材の他方の端面は、外部を向くことを特徴とするカナル型開放型ノイズキャンセル防水イヤホンの構造。
【請求項２】
前記フロントチャンバは、装着部、出音管及び延伸部を有し、前記装着部と前記出音管とは、前記フロントチャンバの両端部分に形成され、前記出音管は、前記フロントチャンバに突出形成され、前記装着部は、前記フロントチャンバの中央部分に凹陥形成され、前記出音管には、前記装着部に連通する穿孔が軸方向に形成され、前記延伸部は、前記フロントチャンバの前記装着部が形成される端面に軸方向に突出形成され、前記防水アセンブリは、第２防水部材を更に有し、前記第２防水部材の構造は、前記第１防止部材と同一であり、前記第１防水部材及び前記第２防水部材の孔隙の孔径は、０．６ｍｍ未満であり、前記第２防水部材は、前記フロントチャンバの出音管の穿孔内に装着されて前記出音管の内縁壁面に相互接続され、前記第２防水部材の一方の端面は、前記ホーン単体の発音部に対向し、前記ホーン単体は、前記フロントチャンバの装着部に装着され、前記ホーン単体の発音部は、前記フロントチャンバ及び前記出音管の中空部分に対向することを特徴とする請求項１に記載のカナル型開放型ノイズキャンセル防水イヤホンの構造。
【請求項３】
前記バックチャンバの開口部分の内縁壁面には、溝部が凹陥形成され、前記フロントチャンバの延伸部は、前記装着部に間隔を開けて形成される複数の板体であり、前記延伸部の前記装着部と反対の他方の端部の外縁壁面には、凸縁が径方向に突出形成され、前記バックチャンバの開口の端面には、環状台が凹陥形成され、前記チャンバアセンブリの内縁壁面には、間隔を開けて設置される複数の凸ブロックが突出形成され、前記フロントチャンバの延伸部は、前記凸ブロックによって形成される間隙にそれぞれ貫設され、前記チャンバアセンブリの一方の端部には、環状の結合部が突出形成され、前記結合部は、前記バックチャンバの環状台に装着され、前記延伸部の前記凸縁が形成される端部は、前記バックチャンバの開口部分に収容され、前記延伸部の凸縁は、前記バックチャンバの溝部に係合されることを特徴とする請求項２に記載のカナル型開放型ノイズキャンセル防水イヤホンの構造。
【請求項４】
シールドアセンブリを更に備え、前記バックチャンバの前記貫通孔が形成される端面には、第１装着溝が凹陥形成され、前記第１装着溝は、前記貫通孔に連通し、前記フロントチャンバの出音管の端面には、第２装着溝が凹陥形成され、前記第２装着溝は、前記穿孔に連通し、前記シールドアセンブリは、第１シールド部材及び第２シールド部材を有し、前記第１シールド部材は、前記バックチャンバの第１装着溝に装着される上、前記第1防水部材の外部を向く端部に覆設され、前記第２シールド部材は、前記フロントチャンバの出音管の第２装着溝に装着される上、前記第２防水部材の他方の端面に覆設されることを特徴とする請求項２又は３に記載のカナル型開放型ノイズキャンセル防水イヤホンの構造。
【請求項５】
前記本体は、イヤーピースを更に有し、前記フロントチャンバの出音管の外縁壁面には、環状溝が凹陥形成され、前記イヤーピースは、中空カバー体であり、前記フロントチャンバの出音管の環状溝に嵌設され、前記イヤーピースの中空部分は、前記出音管の穿孔に対向することを特徴とする請求項４に記載のカナル型開放型ノイズキャンセル防水イヤホンの構造。
【請求項６】
シールドアセンブリを更に備え、前記バックチャンバの前記貫通孔が形成される端面には、第１装着溝が凹陥形成され、前記第１装着溝は、前記貫通孔に連通し、前記フロントチャンバの出音管の端面には、第２装着溝が凹陥形成され、前記第２装着溝は、前記穿孔に連通し、前記シールドアセンブリは、第１シールド部材及び第２シールド部材を有し、前記第１シールド部材及び前記第２シールド部材は、通気性を有するネットであり、前記第１シールド部材は、前記バックチャンバの第１装着溝に装着される上、前記第１防水部材の外部を向く端部に覆設され、前記第２シールド部材は、前記フロントチャンバの出音管の第２装着溝に装着される上、前記第２防水部材の他方の端部に覆設されることを特徴とする請求項２に記載のカナル型開放型ノイズキャンセル防水イヤホンの構造。
【請求項７】
前記本体は、イヤーピースを更に有し、前記フロントチャンバの出音管の外縁壁面には、環状溝が凹陥形成され、前記イヤーピースは、中空カバー体であり、前記フロントチャンバの出音管の環状溝に嵌設され、前記イヤーピースの中空部分は、前記出音管の穿孔に対向することを特徴とする請求項６に記載のカナル型開放型ノイズキャンセル防水イヤホンの構造。
【請求項８】
前記バックチャンバの開口部分の内縁壁面には、溝部が凹陥形成され、前記フロントチャンバの延伸部は、前記装着部に間隔を開けて形成される複数の板体であり、前記延伸部の前記装着部と反対の他方の端部の外縁の壁面には、凸縁が径方向に突出形成され、前記バックチャンバの開口の端面には、環状台が凹陥形成され、前記チャンバアセンブリの内縁壁面には、間隔を開けて設置される複数の凸ブロックが突出形成され、前記フロントチャンバの延伸部は、前記凸ブロックによって形成される間隙にそれぞれ貫設され、前記チャンバアセンブリの一方の端部には、環状の結合部が突出形成され、前記結合部は、前記バックチャンバの環状台に装着され、前記延伸部の前記凸縁が形成される端部は、前記バックチャンバの開口部分に収容され、前記延伸部の凸縁は、前記バックチャンバの溝部に係合されることを特徴とする請求項７に記載のカナル型開放型ノイズキャンセル防水イヤホンの構造。
【請求項９】
前記第１防水部材は、前記バックチャンバの前記収容台に嵌設されることを特徴とする請求項１に記載のカナル型開放型ノイズキャンセル防水イヤホンの構造。
【請求項１０】
前記第１防水部材は、前記バックチャンバの前記収容台に一体成型されることを特徴とする請求項１に記載のカナル型開放型ノイズキャンセル防水イヤホンの構造。
【請求項１１】
前記第２防水部材は、前記出音管に嵌設されることを特徴とする請求項２に記載のカナル型開放型ノイズキャンセル防水イヤホンの構造。
【請求項１２】
前記第２防水部材は、前記出音管に一体成型されることを特徴とする請求項２に記載のカナル型開放型ノイズキャンセル防水イヤホンの構造。
【請求項１３】
前記第１防水部材の少なくとも１つの前記孔隙内は、少なくとも１つの凸点を有することを特徴とする請求項１に記載のカナル型開放型ノイズキャンセル防水イヤホンの構造。
【請求項１４】
前記第１防水部材の少なくとも１つの前記孔隙内は、少なくとも１つの凸辺を有することを特徴とする請求項１に記載のカナル型開放型ノイズキャンセル防水イヤホンの構造。
【請求項１５】
前記第１防水部材の少なくとも１つの前記孔隙内は、少なくとも１つの凸リングを有することを特徴とする請求項１に記載のカナル型開放型ノイズキャンセル防水イヤホンの構造。
【請求項１６】
前記第２防水部材の少なくとも１つの前記孔隙内は、少なくとも１つの凸点を有することを特徴とする請求項２に記載のカナル型開放型ノイズキャンセル防水イヤホンの構造。
【請求項１７】
前記第２防水部材の少なくとも１つの前記孔隙内は、少なくとも１つの凸辺を有することを特徴とする請求項２に記載のカナル型開放型ノイズキャンセル防水イヤホンの構造。
【請求項１８】
前記第２防水部材の少なくとも１つの前記孔隙内は、少なくとも１つの凸リングを有することを特徴とする請求項２に記載のカナル型開放型ノイズキャンセル防水イヤホンの構造。
【考案の詳細な説明】
【技術分野】
【０００１】
本考案は、イヤホンの構造に関し、特に、防水であり、音質の歪みが発生せず、耳道内外の圧力、温度及び湿度の均衡を実現することができるカナル型開放型ノイズキャンセル防水イヤホンの構造に関する。
【背景技術】
【０００２】
液体（水も一種の液体である）は、何れも表面張力を有する。表面張力は、液体の分子の凝集力によって形成される。液体内部においては、液体内部の各分子の各面が隣り合う分子の吸引力又は反発力を受けるため、分子が受ける分子力の合力は、ゼロである。
【０００３】
しかし、液体と気体との境界面上の液体分子は、各面が受ける吸引力又は反発力が不均衡であるため、液体表面層中の分子が液体内部方向への吸引力を受け、一部表面層中の分子が液体内部に引っ張られて液体の表面積が縮小される。これが表面張力現象である。
【０００４】
図１０は、表面張力と管径の大きさとの関係を示す模式図である。管体の管径が小さいほど、表面張力現象によって発生する作用が顕著になる。管径を小さい方から順番に、第１管体４１０、第２管体４２０及び第３管体４３０とし、各管体の一方の端部を液体３００中に入れると、管径が大きくなるほど、表面張力の作用が減少し、液体３００が管体に進入する程度が増加する。
【０００５】
現在、市場におけるイヤホン又は補聴器は、耳栓部が防水機能を有さず、液体又は水がかかったり、液体又は水に浸漬したりすると、極めて容易に損壊する。或いは、液体又は水がユーザの耳内に進入し、不快感を覚えたり、損傷したりする。
【０００６】
この問題に鑑み、表面張力の原理を十分に応用することにより、水又は液体の進入を防止することができ、音声の完全な音質を保持することができ、耳道内外の圧力、湿度及び温度の均衡を実現することができ、快適に装着することができる防水イヤホンの構造が求められていた。
【先行技術文献】
【特許文献】
【０００７】
【特許文献１】特開２０１５−１２３１０号公報
【考案の概要】
【考案が解決しようとする課題】
【０００８】
本考案の目的は、快適に装着することができ、外部から騒音が進入するのを低減し、複数の孔隙が形成されることによって防水を実現することができ、耳道内外の圧力、温度及び湿度の均衡を実現することができ、音質の歪みが発生しないカナル型開放型ノイズキャンセル防水イヤホンの構造を提供することにある。
【課題を解決するための手段】
【０００９】
上述の課題を解決するために、本考案のカナル型開放型ノイズキャンセル防水イヤホンの構造は、本体、ホーン単体及び防水アセンブリを有する。本体は、バックチャンバ、チャンバアセンブリ及びフロントチャンバを有する。バックチャンバは、中空ブロック体であり、一方の端面に開口が形成され、反対側の他方の端部には、貫通孔が貫通形成される。バックチャンバの内部壁面の貫通孔に対向する部分には、収容台が突出形成される。収容台は、貫通孔に連通する。収容台の孔径は、貫通孔の孔径より小さい。バックチャンバの周縁の壁面部分には、バックチャンバの内部に連通する防水ケーブルカバーが装着される。防水ケーブルカバーは、バックチャンバに緊密に組み合わされる。フロントチャンバは、中空ブロック体であり、バックチャンバの開口部分に装着される。
【００１０】
チャンバアセンブリは、環状形を呈し、フロントチャンバの一方の端部に嵌設され、バックチャンバとフロントチャンバとの間に設置される。ホーン単体は、本体内部に装着される。ホーン単体の発音部は、フロントチャンバに装着され、フロントチャンバの中空部分に対向する。防水アセンブリは、本体のバックチャンバに装着され、第１防水部材を有する。第１防水部材は、複数の孔隙を有するブロック体である。孔隙は、間隔を開けて配列設置される上、第１防水部材に貫通形成される。孔隙によって第１防水部材の両端面には、開孔が形成される。第１防水部材は、バックチャンバの収容台に装着される上、収容台の内縁壁面に当接される。第１防水部材の一方の端面は、バックチャンバ内部に設置される。第１防水部材の他方の端面は、外部を向く。
【考案の効果】
【００１１】
本考案を実施することによって以下（１）〜（４）の効果を実現することができる。
（１）製造コストが低く、外部の騒音が進入するのを低減し、耳に快適に装着することができる。
（２）防水である。
（３）耳道内外の圧力、温度及び湿度の均衡を実現することができる。
（４）音質の歪みが発生せず、完全な音質を保持することができる。
【図面の簡単な説明】
【００１２】
【図１】本考案のカナル型開放型ノイズキャンセル防水イヤホンの構造を示す斜視図である。
【図２】本考案のカナル型開放型ノイズキャンセル防水イヤホンの構造を示す分解斜視図である。
【図３】本考案のカナル型開放型ノイズキャンセル防水イヤホンの構造を示す断面図である。
【図４Ａ】本考案の第１防水部材及び孔隙を示す斜視図である。
【図４Ｂ】本考案の第１防水部材及び孔隙を示す断面図である。
【図４Ｃ】本考案の第２防水部材及び孔隙を示す斜視図である。
【図４Ｄ】本考案の第２防水部材及び孔隙を示す断面図である。
【図５Ａ】本考案の第１防水部材が防水を実現する状態を示す断面図である。
【図５Ｂ】本考案の第２防水部材が防水を実現する状態を示す断面図である。
【図６】本考案のカナル型開放型ノイズキャンセル防水イヤホンの構造が防水を実現する状態を示す断面図である。
【図７Ａ】本考案の凸点を有する第１防水部材が防水を実現する状態を示す断面図である。
【図７Ｂ】本考案の凸辺を有する第１防水部材が防水を実現する状態を示す断面図である。
【図７Ｃ】本考案の凸環を有する第１防水部材が防水を実現する状態を示す断面図である。
【図８Ａ】本考案の凸点を有する第２防水部材が防水を実現する状態を示す断面図である。
【図８Ｂ】本考案の凸辺を有する第２防水部材が防水を実現する状態を示す断面図である。
【図８Ｃ】本考案の凸環を有する第２防水部材が防水を実現する状態を示す断面図である。
【図９】本考案のシリコン製のカナル型開放型ノイズキャンセル防水イヤホンの構造と従来の防水ネットを有するイヤホンの音声周波数に対する応答を示す曲線図である。
【図１０】管径と水の表面張力との関係を示す模式図である。
【考案を実施するための形態】
【００１３】
当業者が本明細書の開示内容、実用新案登録請求の範囲及び図面に基づき、本考案の目的及び長所を簡単に理解して実施できるようにするために、本考案の実施形態において本考案の詳細な特徴及び長所を説明する。
【００１４】
図１及び図２に示すように、本考案は、カナル型開放型ノイズキャンセル防水イヤホンの構造１００を提供するものである。本考案のカナル型開放型ノイズキャンセル防水イヤホンの構造１００は、本体１０、ホーン単体２０、防水アセンブリ３０及びシールドアセンブリ４０を有する。
【００１５】
図２及び図３に示すように、本体１０は、バックチャンバ１１、チャンバアセンブリ１２及びフロントチャンバ１３を有する。
【００１６】
バックチャンバ１１は、中空ブロック体であり、一方の端面に開口が形成され、反対側の他方の端部に貫通孔１１１が貫通形成される。バックチャンバ１１の内部壁面の貫通孔１１１に対向する部分には、収容台１１３が突出形成される。収容台１１３は、貫通孔１１１に連通する。収容台１１３の孔径は、貫通孔１１１の孔径より小さい。バックチャンバ１１の貫通孔１１１が形成される端面には、第１装着溝１１５が凹陥形成される。第１装着溝１１５は、貫通孔１１１に連通する。バックチャンバ１１の開口部分の内縁壁面には、溝部１１２が凹陥形成される。また、バックチャンバ１１の開口の端面には、環状台１１４が凹陥形成される。バックチャンバ１１の周縁の壁面部分には、バックチャンバ１１の内部に連通する防水ケーブルカバー１１０が装着される。防水ケーブルカバー１１０は、バックチャンバ１１に緊密に組み合わされ、防水機能を形成する。
【００１７】
フロントチャンバ１３は、中空ブロック体であり、バックチャンバ１１の開口部分に装着される。フロントチャンバ１３は、装着部１３０、出音管１３１及び延伸部１３２を有する。装着部１３０と出音管１３１とは、フロントチャンバ１３の両端部分に形成される。出音管１３１は、フロントチャンバ１３に突出形成される。装着部１３０は、フロントチャンバ１３の中央部分に凹陥形成される。出音管１３１の外縁壁面には、環状溝１３１１が凹陥形成される。また、出音管１３１には、装着部１３０に連通する穿孔が軸方向に形成される。
【００１８】
出音管１３１の端面には、第２装着溝１３１２が凹陥形成される。第２装着溝１３１２は、穿孔に連通する。延伸部１３２は、フロントチャンバ１３の装着部１３０が形成される端面に軸方向に突出形成される。具体的に述べると、延伸部１３２は、装着部１３０に間隔を開けて形成される複数の板体を有する。延伸部１３２の装着部１３０と反対側の他方の端部の外縁壁面には、凸縁１３２１が径方向に突出形成される。延伸部１３２の凸縁１３２１が形成される端部は、バックチャンバ１１の開口部分に収容される。延伸部１３２の凸縁１３２１は、バックチャンバ１１の溝部１１２に係合される。
【００１９】
チャンバアセンブリ１２は、環状形を呈し、フロントチャンバ１３の一方の端部に嵌設され、バックチャンバ１１とフロントチャンバ１３との間に設置される。チャンバアセンブリ１２の内縁壁面には、複数の間隔を開けて設置される凸ブロック１２１が突出形成される。チャンバアセンブリ１２の一方の端部には、環状の結合部１２２が突出形成される。フロントチャンバ１３の延伸部１３２は、凸ブロック１２１に形成される間隙に貫設される。チャンバアセンブリ１２の結合部１２２は、バックチャンバ１１の環状台１１４に装着される。
【００２０】
本体１０は、イヤーピース１４を更に有する。イヤーピース１４は、中空カバー体であり、フロントチャンバ１３の出音管１３１の環状溝１３１１に嵌設される。また、イヤーピース１４の中空部分は、出音管１３１の穿孔に対向する。
【００２１】
ホーン単体２０は、フロントチャンバ１３の装着部１３０に装着される。ホーン本体２０の発音部は、フロントチャンバ１３、出音管１３１及びイヤーピース１４の中空部分に対向する。ホーン単体２０の音源信号ケーブルは、防水ケーブルカバー１１０を貫通し、外部と信号接続される。ホーン単体２０は、従来技術であるため、ここでは贅言しない。
【００２２】
防水アセンブリ３０は、本体１０のバックチャンバ１１及びフロントチャンバ１３に装着され、第１防水部材３１及び第２防水部材３２を有する。第１防水部材３１及び第２防水部材３２は、複数の孔隙６０を有するブロック体である。孔隙６０の孔径は、０.６ｍｍ未満である。孔隙６０は、間隔を開けて配列設置される上、第１防水部材３１及び第２防水部材３２に貫通形成される。孔隙６０によって第１防水部材３１及び第２防水部材３２の両端面に開孔が形成される。第１防水部材３１は、バックチャンバ１１の収容台１１３に装着される上、収容台１１３の内縁壁面に当接される。第１防水部材３１の一方の端面は、バックチャンバ１１の内部に設置され、第１防水部材３１の他方の端面は、外部を向く。第２防水部材３２は、出音管１３１の穿孔内に装着され、出音管１３１の内壁面に相互接続される。第２防水部材３２の一方の端面は、ホーン単体２０の発音部に対向し、第２防水部材３２の他方の端面は、イヤーピック１４の中空部分に設置される。
【００２３】
シールドアセンブリ４０は、本体１０のバックチャンバ１１及びフロントチャンバ１３に装着され、第１シールド部材４１及び第２シールド部材４２を有する。第１シールド部材４１は、バックチャンバ１１の第１装着溝１１５に装着される上、第１防水部材３１の外部を向く端部に覆設される。第２シールド部材４２は、フロントチャンバ１３の出音管１３１の第２装着溝１３１２に装着される上、第２防水部材３２に覆設される。具体的に述べると、第１シールド部材４１及び第２シールド部材４２は、通気性を有するネットである。
【００２４】
防水アセンブリ３０が本体１０のバックチャンバ１１及びフロントチャンバ１３に装着されることにより、ユーザが本考案を使用する際、外部の音声を感知することができる上、防水効果を実現することができる。防水アセンブリ３０の第１防水部材３１及び第２防水部材３２が孔径が０．６ｍｍ未満の複数の孔隙が間隔を開けて配列形成される構造を有することにより、外部の低周波ノイズが防水部材の孔隙構造によって抑制される。また、水流が第１防水部材３１及び第２防水部材３２の端面に到達すると、水の表面張力作用によって第１防水部材３１及び第２防水部材３２の孔隙に浸潤して通過することができないため、水がイヤホン内部に進入するのを阻止することができる。
【００２５】
外部の音声が第１防水部材３１の孔隙６０からチャンバ１１内に進入することにより、ユーザは、音声コンテンツを聞く際でも、外部の音声を感知することができる。これと同時に、第１防水部材３１の孔隙６０の構造によって低周波ノイズが抑制される。また、第２防水部材３２によって良好な通気性が提供されるため、ユーザがイヤホンを長時間装着しても蒸れることがない。また、ホーン単体２０から放出される音声は、第２防水部材３２の孔隙６０から伝達されるため、ユーザは、音質及び音色に歪みがない音声を聞くことができる。
【００２６】
また、シールドアセンブリ４０の第１シールド部材４１と第２シールド部材４２とがバックチャンバ１１と装着台１３とに装着されるため、防塵効果を実現することができる。
【００２７】
図４Ａ〜図４Ｄに示すように、第１防水部材３１又は第２防水部材３２内に形成される複数の孔隙６０が第１防水部材３１及び第２防水部材３２を貫通し、各孔隙６０の寸法によって表面張力が作用するため、水分子が通過しない。
【００２８】
図５Ａ及び図５Ｂに示すように、水分子の表面張力を顕著に発生させ、有効に作用させて水分子が通過しないようにするために、孔隙６０の寸法は、直径が０．１ｍｍ〜０．６ｍｍの間であり、長さが１ｍｍ〜５ｍｍの間とすることができる。
【００２９】
第１防水部材３１又は第２防水部材３２に形成される複数の孔隙６０の配列方式は、特に限定されず、アレイ式配列、マトリクス式配列、円形分布配列、方形分布配列、三角形分布配列、楕円形分布配列、他の不規則分布配列などの配列方式とすることができる。
【００３０】
図４Ａ〜図５Ｂ及び図６に示すように、孔隙６０は、適切な直径及び長さを選択することにより、表面張力の作用によって液体３００が通過できないようにすることができる。これにより、カナル型開放型ノイズキャンセル防水イヤホンの構造１００は、水又は液体３００の進入を阻止する機能を実現することができ、防水能力は、ＩＰＸ７レベルに達することができる。即ち、１ｍ以内の深さの水中に３０分間放置することができる。
【００３１】
図７Ａ〜図８Ｃに示すように、第１防水部材３１又は第２防水部材３２内に形成される孔隙６０が水又は液体が通過するのを阻止する能力を高めるために、孔隙６０の表面上には、少なくとも１つの凸点８１、少なくとも１つの凸辺８２又は少なくとも１つの凸リング８３を形成することができる。
【００３２】
図９は、本考案のシリコン製のカナル型開放型ノイズキャンセル防水イヤホンの構造１００の音声周波数に対する応答の実測曲線９１と、市場においてよく見られる従来の防水ネットを有するイヤホンの音声周波数に対する応答の実測曲線９２と、である。実測曲線９１及び実測曲線９２から分かるように、カナル型開放型ノイズキャンセル防水イヤホンの構造１００は、完全な音質を保持することができ、音質の歪みが発生することがない。
【００３３】
上述の各実施形態は、本考案の特徴を説明するためのものであり、その目的は、当業者が本考案の内容を理解して実施できるようにすることであり、本考案の範囲を限定するものではない。即ち、本考案の主旨を逸脱しない範囲における同等効果の修飾又は変更は、何れも本考案の実用試案登録請求の範囲に含まれる。
【符号の説明】
【００３４】
１００  カナル型開放型ノイズキャンセル防水イヤホンの構造
１０  本体
１１  バックチャンバ
１１０  防水ケーブルカバー
１１１  貫通孔
１１２  溝部
１１３  収容台
１１４  環状台
１１５  第１装着溝
１２  チャンバアセンブリ
１２１  凸ブロック
１２２  結合部
１３  フロントチャンバ
１３０  装着部
１３１  出音管
１３１１  環状溝
１３１２  第２装着溝
１３２  延伸部
１３２１  凸縁
１４  イヤーピック
２０  ホーン単体
３０  防水アセンブリ
３１  第１防水部材
３２  第２防水部材
４０  シールドアセンブリ
４１  第１シールド部材
４２  第２シールド部材
６０  孔隙
８１  凸点
８２  凸辺
８３  凸リング
９１  実測曲線
９２  実測曲線
３００  液体
４１０  第１管体
４２０  第２管体
４３０  第３管体
【図１】
0003202035.tif 000003
【図２】
0003202035.tif 000004
【図３】
0003202035.tif 000005
【図４Ａ】
0003202035.tif 000006
【図４Ｂ】
0003202035.tif 000007
【図４Ｃ】
0003202035.tif 000008
【図４Ｄ】
0003202035.tif 000009
【図５Ａ】
0003202035.tif 000010
【図５Ｂ】
0003202035.tif 000011
【図６】
0003202035.tif 000012
【図７Ａ】
0003202035.tif 000013
【図７Ｂ】
0003202035.tif 000014
【図７Ｃ】
0003202035.tif 000015
【図８Ａ】
0003202035.tif 000016
【図８Ｂ】
0003202035.tif 000017
【図８Ｃ】
0003202035.tif 000018
【図９】
0003202035.tif 000019
【図１０】
0003202035.tif 000020